(57)【要約】【課題】  発見されやすく、しかも、高い広告的効果を有するゴルフボールマーカーを実現する。【解決手段】  ゴルフボールマーカーＭにホログラム処理を施した表示部２を設ける。【選択図】      図１
0003125721.tif 000002
【実用新案登録請求の範囲】
【請求項１】
ホログラム処理を施した表示部を有することを特徴とするゴルフボールマーカー。
【請求項２】
マーカー本体の上面にホログラム処理を施した表示部を配すると共に、上記表示部の上面に表面が球面状に湾曲した透明樹脂製の保護カバーを配したことを特徴とするゴルフボールマーカー。
【請求項３】
照明の方向により広告表示と装飾表示が交互に表示されるようにホログラム処理を施した請求項１又は２記載のゴルフボールマーカー。
【請求項４】
裏面に磁力を持たせた請求項１から３の何れかに記載のゴルフボールマーカー。
【考案の詳細な説明】
【技術分野】
【０００１】
この考案は、ゴルフボールマーカーに関し、より詳細には発見されやすく、しかも、高い広告的効果を有するゴルフボールマーカーに関する。
【背景技術】
【０００２】
ゴルフコースにおけるゴルフプレーにおいて、グリーン上のボールを暫定的に移動した場合にその位置を記録するための目印としてゴルフボールマーカーが使用されている。
【０００３】
この種のゴルフボールマーカーは自分のものと他人のものを区別できるように特定の色彩を施したり、或いは形状や模様などの意匠に工夫を施したものが提案されている（例えば特許文献１）。
【０００４】
また、とかくグリーンに埋もれて発見し難いマーカーを目立たさせるために、マーカーを立体的に構成したり（例えば特許文献２）、発光させたりする（特許文献３）考案も提案されている。
【０００５】
【特許文献１】特開平５−１６８７３５号公報
【特許文献２】特開２００３−３０５１４４号公報
【特許文献３】特開２００５−３１２８７０号公報
【考案の開示】
【考案が解決しようとする課題】
【０００６】
しかしながら、ゴルフボールマーカーには自ずから大きさの制限があり、それに盛り込める意匠には限界があり、高い意匠効果を発揮することは困難であった。
【０００７】
一方、マーカーを立体的に構成した場合はそれなりに目立って発見されやすくなる効果は期待できるが、パッティングされた他のプレーヤーのボールが衝突した場合に予期しない影響を生じるおそれがあった。
【０００８】
他方、マーカーを発光させれば、それなりに目立って発見されやすくなる効果は期待できるが、機構が複雑となって製造コストが高くなり、例えば広告を兼ねたノベルティーとして頒布するような場合に価格がネックとなるという問題を生じる。
【０００９】
また、後者の２つの従来技術のマーカーにおいても、盛り込める意匠に限界があるという課題を未だ達成することはできなかった。
【課題を解決するための手段】
【００１０】
この考案は以上の従来技術の問題点を解消したゴルフボールマーカーを提供することを目的として創作されたものであり、ゴルフボールマーカーにホログラム処理を施した表示部を設けたことを特徴とする。
【００１１】
また、ここでは第２考案としてマーカー本体の上面にホログラム処理を施した表示部を配すると共に、上記表示部の上面に表面が球面状に湾曲した透明樹脂製の保護カバーを配したことを特徴とするゴルフボールマーカーも開示する。
【００１２】
また、第３考案として、前記の第１考案又は第２考案のゴルフボールマーカーにおいて、照明の方向により広告表示と装飾表示が交互に表示されるようにホログラム処理を施したゴルフボールマーカーも開示する。
【００１３】
また、第４考案として、前記の第１考案から第３考案のゴルフボールマーカーにおいて、マーカーの裏面に磁力を持たせたゴルフボールマーカーも開示する。
【考案の効果】
【００１４】
この考案のゴルフボールマーカーによれば、表示部にホログラム処理を施しているので、ゴルフコースにおける太陽光の加減や、歩行するプレーヤーからの視認方向により、光を様々に変化して反射し、ホログラム特有のきらきらした視覚効果を生じる。そして、この視覚効果はマーカーが置かれるグリーンの環境とは明らかに異質なので、遠くからでも一目で発見することが可能となり、従来技術のマーカーに比べて格段に目立つゴルフボールマーカーを実現することができる。
【００１５】
また、ホログラム処理を施した表示部の上面に、表面が球面状に湾曲した透明樹脂製の保護カバーを配した第２考案のゴルフボールマーカーにおいては、表面が球面状に湾曲した透明樹脂製の保護カバーによる光の屈折により、表示部のホログラム模様により立体的な奥行きを加えることが可能となり、高い意匠効果を実現することができる。
【００１６】
また、照明の方向により広告表示と装飾表示が交互に表示されるようにホログラム処理を施した第３考案のゴルフボールマーカーにおいては、マーカーの物理的な大きさの制約の中で、従来技術のマーカーの２倍以上の意匠を盛り込むことができ、これを広告を兼ねたノベルティーとして使用する場合にはスポンサー企業の広告表示を犠牲にしないで、需要者の興味を引く装飾表示を施すことを可能としたゴルフボールマーカーを実現することができる。
【００１７】
また、マーカーの裏面に磁力を持たせた第４考案のゴルフボールマーカーにおいては、プレーヤーの被服や帽子に挟持可能な金属製のクリップと併用することにより、磁力によりクリップを介してプレーヤーの身体に保持可能な作用を生じる。そして、この場合、従来技術のマーカーと異なり、プレーヤーの移動に従って照明の方向が変わることによりホログラム模様がきらきらと反射したり、変化するので、意匠効果に富んだ面白みのあるゴルフボールマーカーを実現することができる。
【考案を実施するための最良の形態】
【００１８】
以下、この考案の具体的実施例を添付図面に基づいて説明する。図１〜図３はこの考案のゴルフボールマーカーＭの実施例を示す図であり、ここでは前記の第１考案から第４考案の全てを盛り込んだマーカーを例にとることとする。図中符号１はゴルフボールマーカーの本体であり、周縁に立ち上がり壁を有する容器状に構成されると共に内部にホログラム処理を施した表示部２が配される。そして、表示部２の上面には表面が球面状に湾曲した透明樹脂製の保護カバー３が配される。
【００１９】
以上の表示部２により再生される表示として、ここでは照明の方向により広告表示Ｐ１（図２の状態）と装飾表示Ｐ２（図３の状態）が交互に表示されるようにホログラム処理を施したものを例示しているが、表示はこれらに限られないことは勿論である。
【００２０】
次に、図中符号４はゴルフボールマーカーの本体１の裏面に固着された磁力板である。この磁力板４により、図４に示すようにクリップ１１をもってプレーヤーの帽子の鍔や被服に挟持可能な金属製のプレート１０にこの考案のマーカーをワンタッチで取り付けることが可能となる。
【図面の簡単な説明】
【００２１】
【図１】この考案のゴルフボールマーカーの断面図。
【図２】同上、異なる斜視図。
【図３】同上、平面図。
【図４】同上、プレートに取り付けた状態を示す斜視図。
【符号の説明】
【００２２】
Ｍ      ゴルフボールマーカー
１      本体
２      表示部
３      保護カバー
４      磁力板
【図１】
0003125721.tif 000003
【図２】
0003125721.tif 000004
【図３】
0003125721.tif 000005
【図４】
0003125721.tif 000006